(57)【要約】【課題】作業性および案全性を高め得る長尺部材の吊上方法を提供すること。【解決手段】長尺部材１の重心点１５より下方の位置に前記長尺部材１の荷重を保持するための吊元部１４と、前記長尺部材１の重心点１５より上方の頂部近傍１１に相当する高さにピン保持部１３と、吊ワイヤー３を通す貫通孔２３と倒れ止めピン２２とが設けられた吊金具２とを有し、前記吊金具２の倒れ止めピン２２が前記ピン保持部１３に挿入され、前記吊金具２の貫通孔２３に前記吊ワイヤー３を通して、前記吊元部１４に前記吊ワイヤー３の一端３１をフックし、上方に吊上ることにより前記長尺部材１の頂部１１を上方へ移動させる方法である。【選択図】図２
2004360229.tif 000002
【特許請求の範囲】
【請求項１】
長尺部材の重心点より下方の位置に前記長尺部材の荷重を保持するための吊元部と、前記長尺部材の重心点より上方の頂部近傍に相当する高さにピン保持部と、吊ワイヤーを通す貫通孔と倒れ止めピンとが設けられた吊金具とを有し、前記吊金具の倒れ止めピンが前記ピン保持部に挿入され、前記吊金具の貫通孔に前記吊ワイヤーを通して、前記吊元部に前記吊ワイヤーの一端をフックし、上方に吊上ることにより前記長尺部材の頂部を上方へ移動させることを特徴とする長尺部材の吊上方法。
【請求項２】
前記吊金具は板状部の一端に吊ワイヤーを通す貫通孔と、他端に倒れ止めピンとを、断面形状がＬ字状に取付けられていることを特徴とする請求項１記載の長尺部材の吊上方法。
【請求項３】
前記長尺部材のピン保持部は、長尺部材が倒れようとする方向に設けられていることを特徴とする請求項１記載の長尺部材の吊上方法。
【請求項４】
請求項１〜３記載の長尺部材の吊上方法により、長尺部材を立てた後に、前記吊元部から吊ワイヤーのフックを外し、吊ワイヤーを引き上げることにより、前記吊金具の倒れ止めピンが前記長尺部材の頂部近傍のピン保持部から外れるようになされていることを特徴とする長尺部材の吊上方法。
【発明の詳細な説明】
【０００１】
【発明の属する技術分野】
本発明は、長尺部材の吊上方法に係わり、施工現場において高所作業がなく安全な長尺部材の吊上方法に関する。
【０００２】
【従来の技術】
従来、家屋の建築には柱、梁等が主要な長尺部材として用いられている。家屋の建築工法は時代と共に変化している。この変化の要因は、材料、部品の加工方法、生活様式、労働形態等の変化および建築の機械化等による。特に標準化住宅の建築においては、部材の標準化、低廉化、構築の単純化等において変化の度合が大きい。
【０００３】
上記のような状況において、組立家屋における建物ユニットの懸垂構造としては、建物ユニットの四隅にリングを備えた吊り下げボルトを設けたものが知られている。この吊り下げボルトは、上部にリング部を備え、下部にネジ部を備えたものであり、吊り下げボルトのリング部は建物ユニットの四隅に設けられた縦柱の上端部に突設され、ネジ部は縦柱の上端にネジ止めされている。
【０００４】
そして、ユニット建物を構築するには、施工現場に建物ユニットを搬入する際にワイヤー及びフックを介してクレーンにより建物ユニットを懸垂降下させ、所定位置に設置後にワイヤーを建物ユニットからはずし、さらに、建物ユニットの吊り下げボルトを外して他の建物ユニットと結合している。このような建物ユニットの懸垂構造の場合、吊り下げボルトを取付けている位置が高いため、脚立や梯子などを建物ユニットに立てかけて吊り下げボルトを取り外す必要がある。そのため、高い位置で吊り下げボルトの取り外し作業を行わなければならないので、作業の安全性確保に十分な注意が必要である。
【０００５】
そこで、前記縦柱を中空の鉄骨により構成し、縦柱の上端部に鉄製の上板部を固着すると共に、縦柱の側面であって、縦柱の基部から作業者の手の届く高さに開口を設け、縦柱の側面であって、手の届く高さに鉄製の中間板部を一体に固着する一方、前記上板部及び中間板部に孔をそれぞれ開口し、上端部にネジ部を形成した吊り下げボルトを前記縦柱の上板部及び前記中間板部に通し、前記吊り下げボルトのネジ部を前記中間板部にネジ止めする建物ユニットの懸垂構造が提案されている。（特許文献１参照）これにより、吊り下げボルトを止める中間板部が縦柱の基部から手の届く高さに設けられており、中間板部に吊り下げボルトをネジ作用により締結するので、脚立や梯子などを必要とせず、また、高い位置で作業を行う必要が無いので、作業能率が向上し、作業の安全性も向上する。
【０００６】
また、鉄骨鉄筋コンクリート造のビルディング等にあっては、その建築途中において資材のストックヤードにストックした鉄骨材を順次クレーンで吊持して搬送し、ビルディングの骨組を構築するようになっている。この場合、梁部材を搬送して据付ける際に、通常はこの梁部材の両端部をロープを介してクレーンに揚重するようになっており、梁部材は水平状態で搬送される。
しかしながら、このような搬送方法では、梁材が水平方向に揚重されて搬送されるので、この梁部材を搬送するために水平方向の専有領域が著しく大きくなり、場合によって隣接建物の領域上部に梁部材が侵入して危険を及ぼしてしまう恐れがあるという課題があった。
【０００７】
そこで、鉄骨梁部材をクレーンで揚重、搬送する場合にこの鉄骨梁部材の水平方向の専有領域を積極的に減少して搬送作業を簡単かつ安全に行うと共に、鉄骨梁部材の据付方法として、伸縮可能手段を備えた第一吊部材と、所定長さに形成された第二吊部材とを備え、これら第一、第二吊部材の一端部をクレーンのフックブロックに吊持すると共に、第一吊部材を第二吊部材と略等長にしてそれぞれの他端部を鉄骨梁部材の重心を挟んで隔離した２箇所に係止して、この鉄骨梁部材を略水平に吊り上げた後、前記伸縮可能手段を縮めて第一吊部材を短縮することにより鉄骨梁部材を略垂直状態にし、垂直状態で搬送した後、その搬送先でこの伸縮可能手段を伸ばして第一吊部材を伸長して鉄骨梁部材を略水平状態にし、この水平状態で鉄骨梁部材を所定位置に据付ける方法である。
（特許文献２参照）。このため、この鉄骨梁部材を略水平に吊り上げた後、伸縮可能手段を縮めて略垂直状態にして搬送するようにしたので、この搬送時に鉄骨梁部材が占有する水平方向の領域を著しく減少することができる。このため、鉄骨梁部材の搬送作業をスムーズに行い、かつ、安全に行うことができる。
【０００８】
【特許文献１】
特開平９−２０９４５３号公報
【特許文献２】
特開平７−６９５７７号公報
【０００９】
【発明が解決しようとする課題】
しかしながら、特許文献１の懸垂構造においては、脚立や梯子などの足場を必要とせず、組立作業の安全性が向上するが、長尺の吊り下げボルトを取付けたり、取り外すのにはナットに螺入、螺出させる必要があり、その際クレーンと連結するワイヤーの取付け、取り外しも必要で手間がかかるという問題がある。また、特許文献２の鉄骨梁部材の据付方法においては、前記第１吊部材の伸縮可能部材としてチェーンブロックが利用されてるので、鉄骨梁部材の水平保持移動、略垂直保持移動は容易に取り扱えるが、基本的に鉄骨梁部材を水平に据付ける方法であり、垂直に据付けるにはフック架けの位置が鉄骨部材の上端部でなく、鉄骨部材全長の３等分した位置に取付けられるので垂直に据付けることは難しいという問題がある。また、例え、垂直に据付けられたとしても、フックを取り外す為には梯子等を使用した高所作業が必要であり、安全に注意を払わなければならないという問題がある。
【００１０】
本発明は、作業性および案全性を高め得る長尺部材の吊上方法を提供することを目的とする。
【００１１】
【課題を解決するための手段】
かかる目的を達成するため、請求項１記載の発明は、長尺部材の重心点より下方の位置に前記長尺部材の荷重を保持するための吊元部と、前記長尺部材の重心点より上方の頂部近傍に相当する高さにピン保持部と、吊ワイヤーを通す貫通孔と倒れ止めピンとが設けられた吊金具とを有し、前記吊金具の倒れ止めピンが前記ピン保持部に挿入され、前記吊金具の貫通孔に前記吊ワイヤーを通して、前記吊元部に前記吊ワイヤーの一端をフックし、上方に吊上ることにより前記長尺部材の頂部を上方へ移動させることを特徴とする長尺部材の吊上方法である。
【００１２】
また、請求項２記載の発明は、請求項１記載の発明において、前記吊金具は板状部の一端に吊ワイヤーを通す貫通孔と、他端に倒れ止めピンとを、断面形状がＬ字状に取付けられていることを特徴とするものである。
【００１３】
また、請求項３記載の発明は、請求項１記載の発明において、前記長尺部材のピン保持部は、長尺部材が倒れようとする方向に設けられていることを特徴とするものである。
【００１４】
また、請求項４記載の発明は、請求項１〜３記載の長尺部材の吊上方法により、長尺部材を立てた後に、前記吊元部から吊ワイヤーのフックを外し、吊ワイヤーを引き上げることにより、前記吊金具の倒れ止めピンが前記長尺部材の頂部近傍のピン保持部から外れるようになされていることを特徴とするものである。
【００１５】
【作用】
したがって、請求項１記載の発明では、長尺部材の重心点より下方の位置に前記長尺部材の荷重を保持するための吊元部と、前記長尺部材の重心点より上方の頂部近傍に相当する高さにピン保持部と、吊ワイヤーを通す貫通孔と倒れ止めピンとが設けられた吊金具とを有し、前記吊金具の倒れ止めピンが前記ピン保持部に挿入され、前記吊金具の貫通孔に前記吊ワイヤーを通して、前記吊元部に前記吊ワイヤーの一端をフックし、上方に吊上ることにより前記長尺部材の頂部を上方へ移動させる方法であるので、簡単な作業で手間がかからず、高所作業をすることなく安全に長尺部材を垂直に据付けることができる。
【００１６】
また、請求項２に記載の発明では、前記吊金具は板状部の一端に吊ワイヤーを通す貫通孔と、他端に倒れ止めピンとを、断面形状がＬ字状に取付けられている形状なので、その構造が簡単で、吊金具としての製作費も安い。
【００１７】
また、請求項３に記載の発明では、前記長尺部材のピン保持部は、長尺部材が倒れようとする方向に設けられているので、ピン保持部に倒れ止めピンを挿入して他端に吊ワイヤーを通して、上方に吊上げる際、前記長尺部材の重力発生に伴う負荷が支点である貫通孔に発生し、倒れ止めピン側には梃子の原理により、貫通孔と倒れ止めピンとの距離で割った負荷しか発生せず、その反力である上に抜けようとする力よりも倒れ止めピンとピン保持部との間の摩擦力の方が常に大きく、ピン保持部から抜けることが無く、安全に、安定的に上方に吊上げることができる。
【００１８】
また、請求項４に記載の発明では、長尺部材を立てた後に、前記吊元部から吊ワイヤーのフックを外し、吊ワイヤーを引き上げることにより、前記吊金具の倒れ止めピンが前記長尺部材の頂部近傍のピン保持部から外れるようになされているので、高所作業することなく、吊上げ、据付、吊金具回収と、一連の作業が安全にできる。
【００１９】
【発明の実施の形態】次に添付図面を参照して本発明による長尺部材の吊上方法の実施例を詳細に説明する。図１〜図３を参照すると本発明の長尺部材の吊上方法の実施例が示されている。図１（イ）は長尺部材の斜視図、図１（ロ）は横置きされた長尺部材にワイヤーを取付けた斜視図、図１（ハ）は吊ワイヤーを上方に吊上げて長尺部材を垂直に立てた斜視図、図１（ニ）は吊ワイヤーを吊元から外して吊金具（倒れ止めピン）を長尺部材から外した斜視図、図２は吊金具の斜視図、図３（イ）は別の長尺部材の斜視図、図３（ロ）は吊ワイヤーを上方に吊上げて長尺部材を垂直に立てた斜視図である。
【００２０】
図１（イ）において、１は鋼管柱などからなる長尺部材の１例であり、１１は長尺部材の上端、１２は長尺部材基部、１３はピン挿入穴、１４は吊元であるフック、１５は重心（Ｇ）である。即ち、長尺部材１の重心（Ｇ）１５より下方の手の届く所に吊元であるフック１４を取付ける。また、長尺部材１の上端に吊金具（倒れ止めピン）を挿入するピン挿入穴１３が長尺部材１を吊り上げる時に倒れようとする方向（図面中右側）に設けられている。
【００２１】
図１（ロ）〜図１（ニ）において、２は吊金具、２１は板状部、２２は倒れ止めピン、２３は吊ワイヤーを通す貫通孔、３は吊ワイヤー、３１は吊ワイヤー先端のリング、３２は接続金具、３３は吊ワイヤー先端のリング３１と結合用接続金具３２とを結合する結合ピンである。図１（ロ）で横置きされた長尺部材１の吊元であるフック１４に接続金具３２を通し、吊ワイヤー３の先端のリング３１と結合ピン３３で結合する。吊ワイヤー３の他端を吊金具２の貫通孔２３に通し図示しないクレーンに係止する。図１（ハ）は吊ワイヤー３を図示しないクレーンにより上方に吊上げて長尺部材１を垂直に立て据付ける。図１（ニ）は長尺部材１を垂直に立て据付けた後、吊元であるフック１４から３２は接続金具を外し、そのまま吊ワイヤー３を引き上げると吊金具２の倒れ止めピン２２がピン挿入穴１３から引き抜かれる。
【００２２】
図２は吊金具２であり、板状部２１の一端側に吊ワイヤーを通す貫通孔２３が設けられ、他端に倒れ止めピン２２が板状部２１に対して断面形状Ｌ字状に取付けられている。
【００２３】
図３（イ）は別の例の長尺部材１ｂであり、図３（イ）において１１ｂは長尺部材の上端、１２ｂは長尺部材基部、１３ｂ，１３ｂはピン挿入穴、１４ｂは吊元であるフック、１５ｂは重心（Ｇ）である。即ち、長尺部材１ｂの重心（Ｇ）１５ｂより下方の手の届く所に吊元であるフック１４ｂを長尺部材１ｂの下端に取付ける。また、長尺部材１ｂの上側の長尺部材１ｂを吊り上げる時に倒れようとする方向（図面中右側）に吊金具（倒れ止めピン）２を挿入するピン挿入リング１３ｂ，１３ｂが上下に間隔を開けて設けられている。
【００２４】
図３（ロ）は、図１（ハ）に対応する図であり、長尺部材１ｂが垂直に立て据付けられた状態を示し、吊元１４ｂに接続金具３２を通し、吊ワイヤー３の先端のリング３１と結合ピン３３で結合する。ワイヤー３の他端を吊金具２の貫通孔２３に通し図示しないクレーンに係止する。長尺部材１ｂの上端に取付けられた吊金具２のピン２２は吊ワイヤー３を通す貫通孔２３と対向する側に設けられらたピン挿入リング１３ｂ，１３ｂに挿入される。そして、図示しないが、吊金具２が図１（二）と同様な方法によりピン挿入リング１３ｂ，１３ｂから引き抜かれる。
【００２５】
以上の手順により、長尺部材１は安定して吊り上げられ、さらに所定の位置へ危険な作業を伴うことなく直立に設置される。その後、脚立や梯子等を使用して、高所作業することなく、吊金具を外すことができる。上述の実施例は本発明の好適な実施の一例ではあるがこれに限定されるものではない。本発明の要旨を逸脱しない範囲において種々変形実施可能である。例えば、上記実施例で用いた吊元の構成方法、吊元の構成位置、倒れ止めピンの保持方法、構成位置、構成部材等は一例であり実施例に限定されない。より詳細に述べれば吊ワイヤーに限らず、一般的な縄、紐およびチェーン等の何れを用いても本発明の効果を得ることができる。
【００２６】
【発明の効果】
以上の説明より明かなように、請求項１記載の発明では、長尺部材の重心点より下方の位置に前記長尺部材の荷重を保持するための吊元部と、前記長尺部材の重心点より上方の頂部近傍に相当する高さにピン保持部と、吊ワイヤーを通す貫通孔と倒れ止めピンとが設けられた吊金具とを有し、前記吊金具の倒れ止めピンが前記ピン保持部に挿入され、前記吊金具の貫通孔に前記吊ワイヤーを通して、前記吊元部に前記吊ワイヤーの一端をフックし、上方に吊上ることにより前記長尺部材の頂部を上方へ移動させる方法であるので、簡単な作業で手間がかからず、高所作業をすることなく安全に長尺部材を垂直に据付けることができる。
【００２７】
また、請求項２に記載の発明では、前記吊金具は板状部の一端に吊ワイヤーを通す貫通孔と、他端に倒れ止めピンとを、断面形状がＬ字状に取付けられている形状なので、その構造が簡単で、吊金具としての製作費も安い。
【００２８】
また、請求項３に記載の発明では、前記長尺部材のピン保持部は、長尺部材が倒れようとする方向に設けられているので、ピン保持部に倒れ止めピンを挿入して他端に吊ワイヤーを通して、上方に吊上げる際、前記長尺部材の重力発生に伴う負荷が支点である貫通孔に発生し、倒れ止めピン側には梃子の原理により、貫通孔と倒れ止めピンとの距離で割った負荷しか発生せず、その反力である上に抜けようとする力よりも倒れ止めピンとピン保持部との間の摩擦力の方が常に大きく、ピン保持部から抜けることが無く、安全に、安定的に上方に吊上げることができる。
【００２９】
また、請求項４に記載の発明では、長尺部材を立てた後に、前記吊元部から吊ワイヤーのフックを外し、吊ワイヤーを引き上げることにより、前記吊金具の倒れ止めピンが前記長尺部材の頂部近傍のピン保持部から外れるようになされているので、高所作業することなく、吊上げ、据付、吊金具回収と、一連の作業が安全にできる。
【図面の簡単な説明】
【図１】（イ）は長尺部材の斜視図、（ロ）は横置きされた長尺部材に吊ワイヤーを取付けた斜視図、（ハ）は吊ワイヤーを上方に吊上げて長尺部材を垂直に立てた斜視図、（ニ）は吊ワイヤーを吊元から外して吊金具（倒れ止めピン）を長尺部材から外した斜視図である。
【図２】吊金具の斜視図である。
【図３】（イ）は別の長尺部材の斜視図、（ロ）は吊ワイヤーを上方に吊上げて長尺部材を垂直に立てた斜視図である。
【符号の説明】
１，１ｂ        長尺部材
１１，１１ｂ      長尺部材の上端
１２，１２ｂ      長尺部材の基部
１３，      ピン挿入穴
１３ｂ      ピン挿入リング
１４，１４ｂ      吊元
１５，１５ｂ      重心
２    吊金具
２１    板状部
２２    倒れ止めピン
２３    貫通孔
３    吊ワイヤー
３１    リング
３２    接続金具
３３    結合ピン
【図１】
2004360229.tif 000003
【図２】
2004360229.tif 000004
【図３】
2004360229.tif 000005